(57)【要約】  【課題】  複数種類の刺繍模様の刺繍データの各々について１又は複数種類の画像データを対応付けておき、その対応情報に基づいて、縫製予定の刺繍模様にマッチする画像を複数種類の画像の中から容易に決定することができる、データ処理装置を提供する。  【解決手段】  データ処理装置において、複数種類の刺繍模様の刺繍データの各々について１又は複数種類の画像の画像データを対応付けた対応情報を記憶した対応記憶手段、縫製予定の刺繍模様の刺繍データを刺繍データ記憶手段から読み込む刺繍データ読込手段、縫製予定の刺繍模様の刺繍データについての前記対応情報に基づいて、その刺繍データと対応付けられた１又は複数種類の画像の画像データを画像データ記憶手段から読み込む画像データ読込手段を備える。【選択図】  図５
2006136595.tif 000002
【特許請求の範囲】
【請求項１】
刺繍ミシンにより加工布に刺繍模様を縫製する為の刺繍データと、プリンタ装置により加工布に画像を印刷可能な画像データとを処理するデータ処理装置において、
複数種類の刺繍模様の刺繍データの各々について１又は複数種類の画像の画像データを対応付けた対応情報を記憶した対応記憶手段と、
縫製予定の刺繍模様の刺繍データを刺繍データ記憶手段から読み込む刺繍データ読込手段と、
縫製予定の刺繍模様の刺繍データについての前記対応情報に基づいて、その刺繍データと対応付けられた１又は複数種類の画像の画像データを画像データ記憶手段から読み込む画像データ読込手段と、
を備えたことを特徴とするデータ処理装置。
【請求項２】
前記対応記憶手段に、所定の刺繍データについて予め分類された複数種類の画像を含むカテゴリを対応付けたカテゴリ対応情報を記憶したことを特徴とする請求項１に記載のデータ処理装置。
【請求項３】
前記刺繍データ読込手段により読み込まれた刺繍データで縫製される刺繍模様と、前記画像データ読込手段により読み込まれた画像データで印刷される画像とを表示する表示手段を設けたことを特徴とする請求項１又は２に記載のデータ処理装置。
【請求項４】
前記表示手段に複数種類の刺繍模様を表示させ、その刺繍模様の中から縫製に供する刺繍模様を選択する刺繍模様選択手段と、前記表示手段に選択された刺繍模様に対応付けられた複数種類の画像を表示させ、その画像の中から印刷に供する画像を選択する画像選択手段を設けたことを特徴とする請求項３に記載のデータ処理装置。
【請求項５】
前記表示手段に表示する複数種類の画像の表示順序を設定する表示順序設定手段を設けたことを特徴とする請求項４に記載のデータ処理装置。
【請求項６】
前記複数種類の刺繍模様の刺繍データの各々について１又は複数種類の画像の画像データとの対応付けを設定可能な対応設定手段を設けたことを特徴とする請求項１〜５の何れかに記載のデータ処理装置。
【請求項７】
刺繍ミシンにより加工布に刺繍模様を縫製する為の刺繍データと、プリンタ装置により加工布に画像を印刷可能な画像データとを処理するデータ処理装置において、
複数種類の画像の画像データの各々について１又は複数種類の刺繍模様の刺繍データを対応付けた対応情報を記憶した対応記憶手段と、
印刷予定の画像の画像データを画像データ記憶手段から読み込む画像データ読込手段と、
印刷予定の画像の画像データについての前記対応情報に基づいて、その画像データと対応付けられた１又は複数種類の刺繍模様の刺繍データを刺繍データ記憶手段から読み込む刺繍データ読込手段と、
を備えたことを特徴とするデータ処理装置。
【請求項８】
前記対応記憶手段に、所定の画像データについて予め分類された複数種類の刺繍模様を含むカテゴリを対応付けたカテゴリ対応情報を記憶したことを特徴とする請求項７に記載のデータ処理装置。
【請求項９】
前記画像データ読込手段により読み込まれた画像データで印刷される画像と、前記刺繍データ読込手段により読み込まれた刺繍データで縫製される刺繍模様とを表示する表示手段を設けたことを特徴とする請求項７又は８に記載のデータ処理装置。
【請求項１０】
前記表示手段に複数種類の画像を表示させ、その画像の中から印刷に供する画像を選択する画像選択手段と、前記表示手段に選択された画像に対応付けられた複数種類の刺繍模様を表示させ、その刺繍模様の中から縫製に供する刺繍模様を選択する刺繍模様選択手段を設けたことを特徴とする請求項９に記載のデータ処理装置。
【請求項１１】
前記表示手段に表示する複数種類の刺繍模様の表示順序を設定する表示順序設定手段を設けたことを特徴とする請求項１０に記載のデータ処理装置。
【請求項１２】
前記複数種類の画像の画像データの各々について１又は複数種類の刺繍模様の刺繍データとの対応付けを設定可能な対応設定手段を設けたことを特徴とする請求項７〜１１の何れかに記載のデータ処理装置。
【請求項１３】
刺繍ミシンにより加工布に刺繍模様を縫製する為の刺繍データを処理するデータ処理装置において、
複数種類の刺繍模様の刺繍データの各々について、その刺繍模様を主体として他の１又は複数種類の刺繍模様の刺繍データを対応付けた対応情報を記憶した対応記憶手段と、
縫製予定の主体となる刺繍模様の刺繍データと、その刺繍データについての前記対応情報に基づいて、その刺繍データと対応付けられた１又は複数種類の刺繍模様の刺繍データを刺繍データ記憶手段から読み込む刺繍データ読込手段と、
を備えたことを特徴とするデータ処理装置。
【発明の詳細な説明】
【技術分野】
【０００１】
本発明は、刺繍ミシンにより加工布に刺繍模様を縫製する為の刺繍データと、プリンタ装置により加工布に画像を印刷可能な画像データとを処理するデータ処理装置に関するものである。
【背景技術】
【０００２】
従来、刺繍データに基づいて加工布が保持された布保持枠を２方向へ夫々独立に駆動して移送し、その加工布に縫製して刺繍模様を形成可能な種々の刺繍ミシンが実用化されている。一方、加工布に印刷模様を形成する技術も種々提案されており、印刷データに基づいて加工布と印刷ヘッドとを相対的に２方向へ移送し、その加工布に印刷して印刷模様を形成可能なインクジェット式の印刷装置が提案されている。このような刺繍ミシンとプリンタ装置とを用いて加工布に刺繍模様と印刷模様の両方を形成することができ、また、縫製と印刷の両方が可能な複合装置も提案されている。
【０００３】
ここで、特許文献１には、画像データに基づいて作成された刺繍データに基づいて刺繍ミシンにより生地に縫製して刺繍模様を形成すると共に、その生地に画像データに基づいてインクジェットプリンタにより印刷する技術が開示され、特許文献２には、刺繍を行った生地に対してインクジェットプリンタにより印刷し着色を行う技術が開示されている。
【特許文献１】特開２００４−２６３３５０号公報
【特許文献２】実用新案登録第３０５２８７１号公報
【発明の開示】
【発明が解決しようとする課題】
【０００４】
特許文献１、２には、その何れにも、刺繍を施した加工布に印刷することにより、刺繍と印刷の融合による特殊な風合いをもたらすことについて記載されている。しかし、具体的に、刺繍模様と画像（印刷模様）からなる複合模様を加工布に形成するために、その刺繍模様と画像をどのように決定して組み合わせ、その刺繍データと画像データをどのように抽出するかについては記載されていない。
【０００５】
ここで、記憶手段に複数種類の刺繍模様の刺繍データを記憶させておき、これら刺繍模様の中から縫製に供する刺繍模様（の刺繍データ）を選択する一方、記憶手段に複数種類の画像の画像データを記憶させておき、これら画像の中から印刷に供する画像（の画像データ）を選択して、刺繍模様と画像を組み合わせて加工布に形成することができ、記憶手段に記憶させる刺繍データ、画像データの数を増やすことにより、刺繍模様と画像との組み合わせ、つまり複合模様のバリエーションを多くすることができる。
【０００６】
しかし、刺繍模様を選択してから画像を選択する場合、その刺繍模様に対して全ての画像を選択対象にすると、その刺繍模様にマッチする画像を選択することが難しくなる。つまり、先ず選択された任意の刺繍模様にマッチしない画像をも選択対象とすることに問題があり、画像の選択負荷が大きくなる。画像を選択してから刺繍模様を選択する場合も、同様に、刺繍模様の選択負荷が大きくなる。そこで、組み合わせてマッチする刺繍模様の刺繍データと画像の画像データのみを記憶手段に記憶させることも考えられるが、刺繍模様と画像との組み合わせ、つまり複合模様のバリエーションが少なくなる。
【０００７】
本発明の目的は、複数種類の刺繍模様の刺繍データの各々について１又は複数種類の画像データを対応付けておき、また、複数種類の画像の画像データの各々について１又は複数種類の刺繍データを対応付けておき、その対応情報に基づいて、縫製予定の刺繍模様にマッチする画像を複数種類の画像の中から容易に決定することができ、また、印刷予定の画像にマッチする刺繍模様を複数種類の刺繍模様の中から容易に決定することができる、データ処理装置を提供することである。
【課題を解決するための手段】
【０００８】
請求項１のデータ処理装置は、刺繍ミシンにより加工布に刺繍模様を縫製する為の刺繍データと、プリンタ装置により加工布に画像を印刷可能な画像データとを処理するデータ処理装置において、複数種類の刺繍模様の刺繍データの各々について１又は複数種類の画像の画像データを対応付けた対応情報を記憶した対応記憶手段と、縫製予定の刺繍模様の刺繍データを刺繍データ記憶手段から読み込む刺繍データ読込手段と、縫製予定の刺繍模様の刺繍データについての前記対応情報に基づいて、その刺繍データと対応付けられた１又は複数種類の画像の画像データを画像データ記憶手段から読み込む画像データ読込手段とを備えたことを特徴とする。
【０００９】
このデータ処理装置では、対応記憶手段に、複数種類の刺繍模様の刺繍データの各々について１又は複数種類の画像の画像データを対応付けた対応情報が記憶されている。刺繍データ読込手段により、縫製予定の刺繍模様の刺繍データが刺繍データ記憶手段から読み込まれる。縫製予定の刺繍模様を決定するために、前記複数種類の刺繍模様の中から所望の刺繍模様を選択可能な刺繍模様選択手段を設けることが好ましい。画像データ読込手段により、縫製予定の刺繍模様の刺繍データについての前記対応情報に基づいて、その刺繍データと対応付けられた１又は複数種類の画像の画像データが画像データ記憶手段から読み込まれる。縫製予定の刺繍模様に対応付けられた複数種類の画像がある場合、これら画像の中から印刷に供する所望の画像を選択可能な画像選択手段を設けることが好ましい。
【００１０】
請求項１の発明においては、次の構成を採用可能である。
前記対応記憶手段に、所定の刺繍データについて予め分類された複数種類の画像を含むカテゴリを対応付けたカテゴリ対応情報を記憶する（請求項２）。前記刺繍データ読込手段により読み込まれた刺繍データで縫製される刺繍模様と、前記画像データ読込手段により読み込まれた画像データで印刷される画像とを表示する表示手段を設ける（請求項３）。前記表示手段に複数種類の刺繍模様を表示させ、その刺繍模様の中から縫製に供する刺繍模様を選択する刺繍模様選択手段と、前記表示手段に選択された刺繍模様に対応付けられた複数種類の画像を表示させ、その画像の中から印刷に供する画像を選択する画像選択手段を設ける（請求項４）。前記表示手段に表示する複数種類の画像の表示順序を設定する表示順序設定手段を設ける（請求項５）。前記複数種類の刺繍模様の刺繍データの各々について１又は複数種類の画像の画像データとの対応付けを設定可能な対応設定手段を設ける（請求項６）。
【００１１】
請求項７のデータ処理装置は、刺繍ミシンにより加工布に刺繍模様を縫製する為の刺繍データと、プリンタ装置により加工布に画像を印刷可能な画像データとを処理するデータ処理装置において、複数種類の画像の画像データの各々について１又は複数種類の刺繍模様の刺繍データを対応付けた対応情報を記憶した対応記憶手段と、印刷予定の画像の画像データを画像データ記憶手段から読み込む画像データ読込手段と、印刷予定の画像の画像データについての前記対応情報に基づいて、その画像データと対応付けられた１又は複数種類の刺繍模様の刺繍データを刺繍データ記憶手段から読み込む刺繍データ読込手段とを備えたことを特徴とする。
【００１２】
このデータ処理装置では、対応記憶手段に、複数種類の画像データの各々について１又は複数種類の刺繍模様の刺繍データを対応付けた対応情報が記憶されている。画像データ読込手段により、印刷予定の画像の画像データが画像データ記憶手段から読み込まれる。印刷予定の画像を決定するために、前記複数種類の画像の中から所望の画像を選択可能な画像選択手段を設けることが好ましい。刺繍データ読込手段により、印刷予定の画像の画像データについての前記対応情報に基づいて、その画像と対応付けられた１又は複数種類の刺繍模様の刺繍データが刺繍データ記憶手段から読み込まれる。印刷予定の画像に対応付けられた複数種類の刺繍模様がある場合、これら刺繍模様の中から縫製に供する所望の刺繍模様を選択可能な刺繍模様選択手段を設けることが好ましい。
【００１３】
請求項７の発明においては、次の構成を採用可能である。
前記対応記憶手段に、所定の画像データについて予め分類された複数種類の刺繍模様を含むカテゴリを対応付けたカテゴリ対応情報を記憶する（請求項８）。前記画像データ読込手段により読み込まれた画像データで印刷される画像と、前記刺繍データ読込手段により読み込まれた刺繍データで縫製される刺繍模様とを表示する表示手段を設ける（請求項９）。前記表示手段に複数種類の画像を表示させ、その画像の中から印刷に供する画像を選択する画像選択手段と、前記表示手段に選択された画像に対応付けられた複数種類の刺繍模様を表示させ、その刺繍模様の中から縫製に供する刺繍模様を選択する刺繍模様選択手段を設ける（請求項１０）。前記表示手段に表示する複数種類の刺繍模様の表示順序を設定する表示順序設定手段を設ける（請求項１１）。前記複数種類の画像の画像データの各々について１又は複数種類の刺繍模様の刺繍データとの対応付けを設定可能な対応設定手段を設ける（請求項１２）。
【００１４】
請求項１３のデータ処理装置は、刺繍ミシンにより加工布に刺繍模様を縫製する為の刺繍データを処理するデータ処理装置において、複数種類の刺繍模様の刺繍データの各々について、その刺繍模様を主体として他の１又は複数種類の刺繍模様の刺繍データを対応付けた対応情報を記憶した対応記憶手段と、縫製予定の主体となる刺繍模様の刺繍データと、その刺繍データについての前記対応情報に基づいて、その刺繍データと対応付けられた１又は複数種類の刺繍模様の刺繍データを刺繍データ記憶手段から読み込む刺繍データ読込手段とを備えたことを特徴とする。
【００１５】
このデータ処理装置では、対応記憶手段に、複数種類の刺繍模様の刺繍データの各々について、その刺繍模様を主体として他の１又は複数種類の刺繍模様の刺繍データを対応付けた対応情報が記憶されている。刺繍データ読込手段により、縫製予定の主体となる刺繍模様の刺繍データが刺繍データ記憶手段から読み込まれる。縫製予定の刺繍模様を決定するために、前記複数種類の刺繍模様の中から所望の刺繍模様を選択可能な刺繍模様選択手段を設けることが好ましい。また、刺繍データ読込手段により、縫製予定の主体となる刺繍模様の刺繍データについての前記対応情報に基づいて、その刺繍データと対応付けられた１又は複数種類の刺繍模様の刺繍データが刺繍データ記憶手段から読み込まれる。縫製予定の主体となる刺繍模様に対応付けられた複数種類の刺繍模様がある場合、これら刺繍模様の中から縫製に供する所望の刺繍模様を選択可能な刺繍模様選択手段を設けることが好ましい。
【発明の効果】
【００１６】
請求項１のデータ処理装置によれば、刺繍データ読込手段により、縫製予定の刺繍模様の刺繍データを刺繍データ記憶手段から読み込むことができ、複数種類の刺繍模様の刺繍データの各々について１又は複数種類の画像の画像データを対応付けた対応情報を記憶した対応記憶手段を設けたので、画像データ読込手段により、縫製予定の刺繍模様の刺繍データについての前記対応情報に基づいて、その刺繍データと対応付けられた１又は複数種類の画像の画像データを画像データ記憶手段から読み込むことができる。複数種類の刺繍模様の各々にマッチする１又は複数種類の画像を予め対応付けておき、その結果、縫製予定の刺繍模様にマッチする画像を複数種類の画像の中から容易に決定でき、この画像の決定負荷を大幅に低減でき、それでいて、刺繍データ記憶手段に記憶させておく刺繍データ、画像データ記憶手段に記憶させておく画像データの数を増やし、刺繍模様と画像の組み合わせ（複合模様）のバリエーションを多くすることができる。
【００１７】
請求項２のデータ処理装置によれば、対応記憶手段に、所定の刺繍データについて予め分類された複数種類の画像を含むカテゴリを対応付けたカテゴリ対応情報を記憶したので、前記対応情報を簡単化できて、所定の刺繍データについてカテゴリに含まれる画像の画像データを一括的に対応付けることができる。
【００１８】
請求項３のデータ処理装置によれば、刺繍データ読込手段により読み込まれた刺繍データで縫製される刺繍模様と、画像データ読込手段により読み込まれた画像データで印刷される画像とを表示する表示手段を設けたので、縫製予定の刺繍模様と印刷予定の画像を確認でき、この表示を見て刺繍模様や画像の配置やサイズの変更等の編集を行うことも可能になる。
【００１９】
請求項４のデータ処理装置によれば、表示手段に複数種類の刺繍模様を表示させ、その刺繍模様の中から縫製に供する刺繍模様を選択する刺繍模様選択手段と、表示手段に選択された刺繍模様に対応付けられた複数種類の画像を表示させ、その画像の中から印刷に供する画像を選択する画像選択手段を設けたので、複数種類の刺繍模様の中から縫製予定の刺繍模様を確実に選択し、また、選択した刺繍模様に対応付けられた画像が複数種類ある場合に、それら画像の中から印刷に供する画像を確実に選択することができる。
【００２０】
請求項５のデータ処理装置によれば、表示手段に表示する複数種類の画像の表示順序を設定する表示順序設定手段を設けたので、例えば、使用頻度の高い画像データで印刷される画像を上位順序で表示させる等、オペレーターが自由に前記表示順序を変更可能に設定できるようになり、使い勝手を良くすることができる。
【００２１】
請求項６のデータ処理装置によれば、複数種類の刺繍模様の刺繍データの各々について１又は複数種類の画像の画像データとの対応付けを設定可能な対応設定手段を設けたので、オペレーターが自由に前記対応付けを変更可能に設定できるようになり、使い勝手を良くすることができる。
【００２２】
請求項７のデータ処理装置によれば、画像データ読込手段により、印刷予定の画像の画像データを画像データ記憶手段から読み込むことができ、複数種類の画像の画像データの各々について１又は複数種類の刺繍模様の刺繍データを対応付けた対応情報を記憶した対応記憶手段を設けたので、刺繍データ読込手段により、印刷予定の画像の画像データについての前記対応情報に基づいて、その画像データと対応付けられた１又は複数種類の刺繍模様の刺繍データを刺繍データ記憶手段から読み込むことができる。複数種類の画像の各々にマッチする１又は複数種類の刺繍模様を予め対応付けておき、その結果、印刷予定の画像にマッチする刺繍模様を複数種類の刺繍模様の中から容易に決定でき、この刺繍模様の決定負荷を大幅に低減でき、それでいて、刺繍データ記憶手段に記憶させておく刺繍データ、画像データ記憶手段に記憶させておく画像データの数を増やし、刺繍模様と画像の組み合わせ（複合模様）のバリエーションを多くすることができる。
【００２３】
請求項８のデータ処理装置によれば、対応記憶手段に、所定の画像データについて予め分類された複数種類の刺繍模様を含むカテゴリを対応付けたカテゴリ対応情報を記憶したので、前記対応情報を簡単化できて、所定の画像データについてカテゴリに含まれる刺繍模様の刺繍データを一括的に対応付けることができる。
【００２４】
請求項９のデータ処理装置によれば、画像データ読込手段により読み込まれた画像データで印刷される画像と、刺繍データ読込手段により読み込まれた刺繍データで縫製される刺繍模様とを表示する表示手段を設けたので、印刷予定の画像と縫製予定の刺繍模様を確認でき、この表示を見て画像や刺繍模様の配置やサイズの変更等の編集を行うことも可能になる。
【００２５】
請求項１０のデータ処理装置によれば、表示手段に複数種類の画像を表示させ、その画像の中から印刷に供する画像を選択する画像選択手段と、前記表示手段に選択された画像に対応付けられた複数種類の刺繍模様を表示させ、その刺繍模様の中から縫製に供する刺繍模様を選択する刺繍模様選択手段を設けたので、複数種類の画像の中から印刷予定の画像を確実に選択し、また、選択した画像に対応付けられた刺繍模様が複数種類ある場合に、それら刺繍模様の中から縫製に供する刺繍模様を確実に選択することができる。
【００２６】
請求項１１のデータ処理装置によれば、表示手段に表示する複数種類の刺繍模様の表示順序を設定する表示順序設定手段を設けたので、例えば、使用頻度の高い刺繍データで縫製される刺繍模様を上位順序で表示させる等、オペレーターが自由に前記表示順序を変更可能に設定できるようになり、使い勝手を良くすることができる。
【００２７】
請求項１２のデータ処理装置によれば、複数種類の画像の画像データの各々について１又は複数種類の刺繍模様の刺繍データとの対応付けを設定可能な対応設定手段を設けたので、オペレーターが自由に前記対応付けを変更可能に設定できるようになり、使い勝手を良くすることができる。
【００２８】
請求項１３のデータ処理装置によれば、刺繍データ読込手段により、縫製予定の主体となる刺繍模様の刺繍データを刺繍データ記憶手段から読み込むことができ、複数種類の刺繍模様の刺繍データの各々について、その刺繍模様を主体として他の１又は複数種類の刺繍模様の刺繍データを対応付けた対応情報を記憶した対応記憶手段を設けたので、刺繍データ読込手段により、縫製予定の主体となる刺繍模様の刺繍データについての前記対応情報に基づいて、その刺繍データと対応付けられた１又は複数種類の刺繍模様の刺繍データを刺繍データ記憶手段から読み込むことができる。複数種類の刺繍模様の各々にマッチする他の１又は複数種類の刺繍模様を予め対応付けておき、その結果、縫製予定の主体となる刺繍模様にマッチする刺繍模様を複数種類の刺繍模様の中から容易に決定でき、この刺繍模様の決定負荷を大幅に低減でき、それでいて、刺繍データ記憶手段に記憶させておく刺繍データの数を増やし、刺繍模様と刺繍模様の組み合わせ（複合模様）のバリエーションを多くすることができる。
【発明を実施するための最良の形態】
【００２９】
本実施形態のデータ処理装置は、刺繍ミシンにより加工布に刺繍模様を縫製する為の刺繍データと、プリンタ装置により加工布に画像を印刷可能な画像データとを処理するパーソナルコンピュータ（ＰＣ）からなるデータ処理装置であり、特に、複数種類の刺繍模様の刺繍データの各々について１又は複数種類の画像の画像データを対応付けた対応情報、複数種類の画像の画像データの各々について１又は複数種類の刺繍模様の刺繍データを対応付けた対応情報を記憶した対応記憶手段を備えたものである。
【実施例１】
【００３０】
図１、図２に示すように、データ処理装置１には、処理装置本体２（パソコン本体）、マウス３、キーボード４、ディスプレイ５が設けられている。処理装置本体２には、ＣＰＵ１０、ＲＯＭ１１、ＲＡＭ１２、ＨＤ１３（ハードディスク）及びＨＤＤ１４（ハードディスクドライブ）、ＣＤＤ１５（コンパクトディスクドライブ）、ＦＤＤ１６（フレキシブルディスクドライブ）、Ｉ／Ｏ１７（入出力インターフェース）等が設けられ、これら１０〜１７はバス１８で互いに接続され、Ｉ／Ｏ１７に、マウス３、キーボード４、ディスプレイ５の表示駆動回路５ａが接続されている。
【００３１】
このデータ処理装置１は、刺繍ミシン８により加工布に刺繍模様を縫製する為の刺繍データと、プリンタ装置９により加工布に画像を印刷可能な画像データとを処理するものであり、Ｉ／Ｏ１７に、刺繍ミシン８とプリンタ装置９を接続し、データ処理装置１から、刺繍ミシン８には刺繍データを、プリンタ装置９には画像データ（印刷データ）を、夫々出力して供給可能になっている。
【００３２】
図３に示すように、ＨＤ１３には、複数種類の刺繍模様の刺繍データと複数種類の画像の画像データが記憶されている。つまり、このＨＤ１３が刺繍データ記憶手段、画像データ記憶手段に相当するものである。ＨＤ１３に記憶された各刺繍データが刺繍ミシン８に供給され、その刺繍データに基づいて、刺繍ミシン８により加工布に縫製して刺繍模様を形成可能であり、ＨＤ１３に記憶された各画像データがプリンタ装置９に供給され、その画像データに基づいて、プリンタ装置９により加工布に印刷して画像を形成可能である。
【００３３】
さて、図４に示すように、このデータ処理装置１は、対応記憶手段２０、刺繍データ読込手段２１、画像データ読込手段２２、刺繍模様選択手段２３、画像選択手段２４、対応設定手段２５、表示順序設定手段２６等を構成している。
【００３４】
対応記憶手段２０は例えばＨＤ１３からなり、この対応記憶手段２０に、複数種類の刺繍模様の刺繍データの各々について１又は複数種類の画像の画像データを対応付けた対応情報が記憶され、また、所定の刺繍データについて予め分類された複数種類の画像を含むカテゴリを対応付けたカテゴリ対応情報が記憶されている。この対応情報は、複数種類の画像の画像データの各々について１又は複数種類の刺繍模様の刺繍データを対応付けた対応情報でもある。
【００３５】
例えば、図５に示すように、ＨＤ１３には、刺繍模様と画像からなる複合模様のメイン部分となる刺繍模様の刺繍データとして、「魚１」、「魚２」・・・「飛行機」、「鳥」、等の複数種類の刺繍模様の刺繍データと、複合模様の背景部分となる画像の画像データとして、「カテゴリ：海」に含まれる「海１」・・・「海ｍ」、「カテゴリ：風景」に含まれる「空港」・・・「都会」、「カテゴリ：空」に含まれる「空１」・・・「空ｎ」、等の複数種類の画像の画像データが記憶されている。
【００３６】
例えば、図５では、刺繍模様の「魚１」の刺繍データと「魚２」の刺繍データが、夫々画像の「カテゴリ：海」に対応付けられ、刺繍模様の「飛行機」の刺繍データが、画像の「カテゴリ：風景」の「空港」の画像データと、「カテゴリ：空」の「空１」の画像データとに対応付けられ、刺繍模様の「鳥」の刺繍データが、画像の「カテゴリ：風景」の「都会」の画像データと、「カテゴリ：空」とに対応付けられ、これらの対応付けを示す対応情報、カテゴリ対応情報が、図６のようなテーブル形式で対応記憶手段２０に記憶されている。
【００３７】
刺繍データ読込手段２１は、縫製予定の刺繍模様の刺繍データをＨＤ１３から読み込む為の手段であり、画像データ読込手段２２は、縫製予定の刺繍模様の刺繍データについての前記対応情報に基づいて、その刺繍データと対応付けられた１又は複数種類の画像の画像データをＨＤ１３から読み込む為の手段である。
【００３８】
ここで、ディスプレイ５（表示手段）には、図示省略するが、刺繍データ読込手段２１により読み込まれた刺繍データで縫製される刺繍模様を表す画像と、画像データ読込手段２２により読み込まれた画像データで印刷される画像とを表示するように構成してある。この場合、刺繍模様を表示させるために、刺繍模様表示用データをＨＤ１３等に別途記憶しておいてもよいし、読み込んだ刺繍データから刺繍模様表示用データを作成するようにしてもよい。画像を表示させるためには、読み込んだ画像データを使用することが好ましいが、表示用データをＨＤ１３等に画像表示用データを別途記憶しておいてもよい。
【００３９】
刺繍模様選択手段２３は、ディスプレイ５に複数種類の刺繍模様を表示させ、その刺繍模様の中から縫製に供する刺繍模様を選択する為の手段であり、少なくとも選択された刺繍模様の刺繍データが刺繍データ読込手段２１により読み込まれ、また、画像選択手段２４は、刺繍模様選択手段２３で選択された刺繍模様に対応付けられた複数種類の画像を表示させ、その画像の中から印刷に供する画像を選択する為の手段であり、少なくとも選択された画像の画像データが画像データ読込手段２２により読み込まれる。
【００４０】
例えば、所定の操作を行うことにより、対応記憶手段２０に記憶された対応情報とカテゴリ対応情報に基づいて、図７に示すように、ディスプレイ５に、複数種類の刺繍模様と複数種類の画像が、それらの対応関係がわかるように文字により表示され、先ず、複数種類の刺繍模様の中から所望の刺繍模様を指定して選択し、次に、選択した刺繍模様に対応付けられた１又は複数の画像の中から所望の画像を指定し選択することができる。尚、先ず、所望の画像を指定して選択し、次に、選択した画像に対応付けられた所望の刺繍模様を指定し選択することもできる。
【００４１】
例えば、図８に示すように、縫製予定の刺繍模様として「鳥」を指定すると、ディスプレイ５に「鳥」の刺繍模様が表示され、この「鳥」に対応付けられた、「カテゴリ：風景」の「都会」と「カテゴリ：空」の全ての画像（「空１」、「空２」・・・「空ｎ」）の中から所望の画像を指定することができる。ここで、この刺繍模様「鳥」に対応付けられた画像、カテゴリを識別可能に表示するようにしてもよい。次に、例えば、図９に示すように、画像として「空２」を指定すると、ディスプレイ５に「鳥」の刺繍模様と共に「空２」の画像が表示される。
【００４２】
対応設定手段２５は、複数種類の刺繍模様の刺繍データの各々について１又は複数種類の画像の画像データとの対応付けを設定可能な手段であり、既に設定さている前記対応付け（対応情報）を変更して設定し直すことができる。この対応設定手段２５は、複数種類の画像の画像データの各々について１又は複数種類の刺繍模様の刺繍データとの対応付けを設定可能な手段でもある。例えば、図７の画面がディスプレイ５に表示された状態で、所定の対応設定操作を行うことにより、前記対応付けを設定変更することができ、この設定変更に伴って、対応記憶手段２０の対応情報、カテゴリ対応情報が更新され、ディスプレイ５への表示も変更される。
【００４３】
表示順序設定手段２６は、ディスプレイ５に表示する複数種類の画像の表示順序を設定する為の手段であり、既に設定されている前記表示順序を変更して設定し直すことができる。例えば、図７の画面がディスプレイ５に表示された状態で、所定の表示順序設定操作を行うことにより、前記表示順序を設定変更することができる。ここで、表示順序を決める表示順序情報については、対応記憶手段２０の対応情報、カテゴリ対応情報に付随的に設けられ、この表示順序の設定変更に伴って、対応記憶手段２０の表示順序情報が更新され、ディスプレイ５への表示も変更される。
【００４４】
以上説明したデータ処理装置１によれば次の効果を奏する。
刺繍データ読込手段２１により、縫製予定の刺繍模様の刺繍データをＨＤ１３から読み込むことができ、複数種類の刺繍模様の刺繍データの各々について１又は複数種類の画像の画像データを対応付けた対応情報を記憶した対応記憶手段２０を設けたので、画像データ読込手段２２により、縫製予定の刺繍模様の刺繍データについての前記対応情報に基づいて、その刺繍データと対応付けられた１又は複数種類の画像の画像データをＨＤ１３から読み込むことができる。
【００４５】
複数種類の刺繍模様の各々にマッチする１又は複数種類の画像を予め対応付けておき、その結果、縫製予定の刺繍模様にマッチする画像を複数種類の画像の中から容易に決定でき、この画像の決定負荷を大幅に低減でき、それでいて、ＨＤ１３に記憶させておく刺繍データ、画像データの数を増やし、刺繍模様と画像の組み合わせ（複合模様）のバリエーションを多くすることができる。
【００４６】
対応記憶手段２０に、所定の刺繍データについて予め分類された複数種類の画像を含むカテゴリを対応付けたカテゴリ対応情報を記憶したので、前記対応情報を簡単化できて、所定の刺繍データについてカテゴリに含まれる画像の画像データを一括的に対応付けることができる。
【００４７】
刺繍データ読込手段２１により読み込まれた刺繍データで縫製される刺繍模様と、画像データ読込手段２２により読み込まれた画像データで印刷される画像とをディスプレイ５に表示させるので、縫製予定の刺繍模様と印刷予定の画像を確認でき、この表示を見て刺繍模様や画像の配置やサイズの変更等の編集を行うことも可能になる。
【００４８】
ディスプレイ５に複数種類の刺繍模様を表示させ、その刺繍模様の中から縫製に供する刺繍模様を選択する刺繍模様選択手段２３と、ディスプレイ５に選択された刺繍模様に対応付けられた複数種類の画像を表示させ、その画像の中から印刷に供する画像を選択する画像選択手段２４を設けたので、複数種類の刺繍模様の中から縫製予定の刺繍模様を確実に選択し、また、選択した刺繍模様に対応付けられた画像が複数種類ある場合に、それら画像の中から印刷に供する画像を確実に選択することができる。
【００４９】
複数種類の刺繍模様の刺繍データの各々について１又は複数種類の画像の画像データとの対応付けを設定可能な対応設定手段２５を設けたので、オペレーターが自由に前記対応付けを変更可能に設定できるようになる。また、ディスプレイ５に表示する複数種類の画像の表示順序を設定する表示順序設定手段２６を設けたので、例えば、使用頻度の高い画像データで印刷される画像を上位順序で表示させる等、オペレーターが自由に前記表示順序を変更可能に設定できるようになる。その結果、使い勝手を良くすることができる。
【実施例２】
【００５０】
実施例２のデータ処理装置１は、基本的に実施例１のデータ処理装置１と同様の構成であるが、刺繍模様選択手段２３、画像選択手段２４、対応設定手段２５、表示順序設定手段２６による機能をより具体的化しまた多少変更したものになっている。つまり、データ処理装置１のＨＤ１３には、刺繍模様選択手段２３、画像選択手段２４、対応設定手段２５、表示順序設定手段２６による機能を達成する為のプログラムが格納されており、このプログラムに基づいて、図１０〜図１４に示す処理が実行可能になる。尚、図中のＳｉ（ｉ＝１、２、３・・・）は各ステップを示す。
【００５１】
図１０に示すように、この処理が開始されると、初期設定の後、先ず、機能選択（Ｓ１）が行われ、この機能選択に基づいて、メイン部分となる刺繍模様の刺繍データ選択の場合には（Ｓ２；Yes ）、図１１の刺繍データ選択処理（Ｓ３）が実行され、背景部分となる画像の画像データ選択の場合には（Ｓ４；Yes ）、図１２の画像データ選択処理（Ｓ５）が実行され、対応情報変更の場合には（Ｓ６；Yes ）、図１３の対応情報変更処理（Ｓ７）が実行され、表示順序変更の場合には（Ｓ８；Yes ）、図１４の表示順序変更処理（Ｓ９）が実行される。Ｓ３、５、７、９の後はＳ１へリターンするが、機能選択に基づいて終了の場合には（Ｓ１０；Yes ）、終了する。
【００５２】
図１１に示すように、刺繍データ選択処理では、先ず、画像データが選択済みであるか否か判定され（Ｓ１１）、Ｓ１１；Yes の場合、対応関係から刺繍データを選択するか否か選択され（Ｓ１２）、Ｓ１２；Yes の場合、画像データと対応付けられた刺繍データがＨＤ１３から読み込まれる（Ｓ１３）。Ｓ１１；No、Ｓ１２；Noの場合、全ての刺繍データがＨＤ１３から読み込まれる（Ｓ１４）。次に、読み込まれた刺繍データで縫製される刺繍模様がディスプレイ５に表示される（Ｓ１５）。
【００５３】
その後、刺繍データが選択され（Ｓ１６）、その選択された刺繍データで縫製される刺繍模様がディスプレイ５に表示され（Ｓ１７）、リターンする。尚、Ｓ１３とＳ１４を省略可能であり、Ｓ１６の刺繍データの選択後に、その選択された刺繍データをＨＤ１３から読み込むようにしてもよい。この場合、Ｓ１５では、予め記憶された表示用データに基づいて、選択可能な刺繍データで縫製される刺繍模様が表示される。
【００５４】
図１２に示すように、画像データ選択処理では、先ず、刺繍データが選択済みであるか否か判定され（Ｓ２０）、Ｓ２０；Yes の場合、対応関係から画像データを選択するか否か選択され（Ｓ２１）、Ｓ２１；Yes の場合、刺繍データと対応付けられた画像データがＨＤ１３から読み込まれる（Ｓ２２）。Ｓ２０；No、Ｓ２１；Noの場合、全ての画像データがＨＤ１３から読み込まれる（Ｓ２３）。次に、読み込まれた画像データで印刷される画像がディスプレイ５に表示される（Ｓ２４）。
【００５５】
その後、画像データが選択され（Ｓ２５）、その選択された画像データで印刷される画像がディスプレイ５に表示され（Ｓ２６）、リターンする。尚、Ｓ２２とＳ２３を省略可能であり、Ｓ２５の画像データの選択後に、その選択された画像データをＨＤ１３から読み込むようにしてもよい。この場合、Ｓ２４では、予め記憶された表示用データに基づいて、選択可能な画像データで印刷される刺繍模様が表示される。
【００５６】
図１３に示すように、対応情報変更処理では、先ず、例えば図７のような対応関係がディスプレイ５に表示され（Ｓ３０）、次に、刺繍データが指定され（Ｓ３１）、画像データ又はカテゴリが指定され（Ｓ３２）、機能選択（Ｓ３３）が行われる。ここで、例えば、図１５に示すように、指定された刺繍データの刺繍模様名、指定された画像データの画像名、指定されたカテゴリに含まれる複数種類の画像名が識別可能にディスプレイ５に例えば反転表示される。Ｓ３３の機能選択においては、例えば図１５の画面において「設定」「解除」「終了」の何れかを指定することにより選択される。
【００５７】
つまり、Ｓ３３の機能選択の後、設定の場合（Ｓ３４；Yes ）、指定された刺繍データと画像データとが対応付くように対応関係が設定され（Ｓ３５）、それに応じて対応情報、カテゴリ対応情報が更新され、Ｓ３０へリターンし、解除の場合（Ｓ３６；Yes ）、指定された刺繍データと画像データとの対応付けが解除され（Ｓ３７）、それに応じて対応情報、カテゴリ対応情報が更新され、Ｓ３０へリターンする。終了の場合は（Ｓ３８；Yes ）、リターンする。こうして、複数種類の刺繍データの各々について１又は複数種類の画像データの対応付け（複数種類の画像データの各々について１又は複数種類の刺繍データの対応付け）を変更可能に設定することができる。
【００５８】
図１４に示すように、表示順序変更処理では、先ず、機能選択（Ｓ４０）が行われ、その機能選択に基づいて、カテゴリ名順とした場合には（Ｓ４１；Yes ）、各刺繍模様の刺繍データに対応付けられた複数種類の画像データで印刷される画像が、カテゴリの名称順に並び替えて表示され（Ｓ４２）、データ名順とした場合には（Ｓ４３；Yes ）、各刺繍模様の刺繍データに対応付けられた複数種類の画像データで印刷される画像が、その名称順に並び替えて表示され（Ｓ４４）、個別変更とした場合には（Ｓ４５；Yes ）、各刺繍模様の刺繍データに対応付けられた複数種類の画像データで印刷される画像が、オペレーターが自由に前記表示順序を変更することが可能になる（Ｓ４６）。Ｓ４２、４４、４６の後はＳ４０へリターンし、終了の場合には（Ｓ４７；Yes ）、リターンする。
【実施例３】
【００５９】
実施例３のデータ処理装置１では、対応記憶手段２０に、複数種類の画像の画像データの各々について１又は複数種類の刺繍模様の刺繍データを対応付けた対応情報と、所定の画像データについて予め分類された複数種類の刺繍模様を含むカテゴリを対応付けたカテゴリ対応情報が記憶され、画像データ読込手段２２により、印刷予定の画像の画像データがＨＤ１３から読み込まれ、刺繍データ読込手段２１により、印刷予定の画像の画像データについての前記対応情報に基づいて、その画像データと対応付けられた１又は複数種類の刺繍模様の刺繍データがＨＤ１３から読み込まれるように構成している。
【００６０】
また、画像データ読込手段２２により読み込まれた画像データで印刷される画像と、刺繍データ読込手段２１により読み込まれた刺繍データで縫製される刺繍模様とがディスプレイ５に表示され、画像選択手段２４により、ディスプレイ５に複数種類の画像を表示させ、その画像の中から印刷に供する画像を選択でき、刺繍模様選択手段２３により、ディスプレイ５に選択された画像に対応付けられた複数種類の刺繍模様を表示させ、その刺繍模様の中から縫製に供する刺繍模様を選択できるように構成してある。
【００６１】
更に、対応設定手段２５により、複数種類の画像の画像データの各々について１又は複数種類の刺繍模様の刺繍データとの対応付けを変更可能に設定でき、表示順序設定手段２６により、ディスプレイ５に表示する複数種類の刺繍模様の表示順序を変更可能に設定できるように構成してある。
【００６２】
例えば、図１６に示すように、ＨＤ１３には、刺繍模様と画像からなる複合模様の背景部分となる画像の画像データとして、「海１」、「海２」・・・「空港」、「都会」、等の複数種類の画像の画像データと、複合模様のメイン部分となる刺繍模様の刺繍データとして、「カテゴリ：魚」に含まれる「魚１」・・・「魚ｍ」、「カテゴリ：乗物」に含まれる「飛行機」・・・「車」、「カテゴリ：人物」に含まれる「人物１」・・・「人物ｎ」、等の複数種類の刺繍模様の刺繍データが記憶されている。
【００６３】
例えば、図１６では、画像の「海１」の画像データと「海２」の画像データが、夫々刺繍模様の「カテゴリ：魚」に対応付けられ、画像の「空港」の画像データが、刺繍模様の「カテゴリ：乗物」の「飛行機」の刺繍データと、「カテゴリ：人物」の「人物１」の刺繍データとに対応付けられ、画像の「都会」の画像データが、刺繍模様の「カテゴリ：乗物」の「車」の刺繍データと、「カテゴリ：人物」とに対応付けられ、これらの対応付けを示す対応情報、カテゴリ対応情報が、図１７のようなテーブル形式で対応記憶手段２０に記憶されている。
【００６４】
その他の説明は省略するが、その構成、作用、効果等については、実施例１、２において、概ね、刺繍模様を画像に、刺繍データを画像データに、画像を刺繍模様に、画像データを刺繍データに変更して記載したものになる。
【００６５】
尚、実施例１〜３を次のように変更してもよい。
１］刺繍データ、画像データを、ＨＤ１３以外の種々の記憶手段（データベース）に記憶させてもよく、この場合、データ処理装置１の外部の記憶手段に記憶させてもよい。
２］刺繍模様を選択する為の画面、画像を選択する為の画面は種々設定可能である。例えば、選択可能な複数種類の刺繍模様、選択可能な複数種類の画像を縮小して並べて表示する。
３］刺繍ミシンとプリンタ装置の一方又は両方にデータ処理装置を設け、そのデータ処理装置に本発明を適用する。
【００６６】
４］データ処理装置１から、刺繍ミシン８に刺繍データを、プリンタ装置９に画像データを、夫々記録媒体（例えばＣＤやＦＤ等）を介して供給する。こうすると、データ処理装置１への刺繍ミシン８とプリンタ装置９の接続が不要になる。
５］尚、図示省略するが、複数種類の刺繍模様の刺繍データの各々について、その刺繍模様を主体として他の１又は複数種類の刺繍模様の刺繍データを対応付けた対応情報を記憶した対応記憶手段と、縫製予定の主体となる刺繍模様の刺繍データと、その刺繍データについての前記対応情報に基づいて、その刺繍データと対応付けられた１又は複数種類の刺繍模様の刺繍データを刺繍データ記憶手段から読み込む刺繍データ読込手段を備えたものに構成することができる。
【００６７】
６］実施例１及び２においては、刺繍データの各々について１又は複数種類の画像データを対応付けた対応情報記憶手段を備え、刺繍予定の刺繍模様にマッチする画像の画像データを選択可能に表示するように構成したが、刺繍データの各々について１又は複数種類の画像データ及び刺繍データの双方を対応付け、これら双方の画像データ及び刺繍データを選択可能に構成してもよい。実施例３においては、画像データの各々について１又は複数種類の刺繍データを対応付けた対応情報記憶手段を備え、印刷予定の画像にマッチする刺繍模様の刺繍データを選択可能に表示するように構成したが、画像データの各々について１又は複数種類の刺繍データ及び画像データの双方を対応付け、これら双方の刺繍データ及び画像データを選択可能に構成してもよい。
【図面の簡単な説明】
【００６８】
【図１】実施例１のデータ処理装置の斜視図である。
【図２】データ処理装置のブロック図である。
【図３】刺繍データと画像データを示す図である。
【図４】データ処理装置の機能ブロック図である。
【図５】刺繍データと画像データの対応関係を示す図である。
【図６】対応情報とカテゴリ対応情報を示す図である。
【図７】ディスプレイに対応関係を表示した画面である。
【図８】ディスプレイに対応関係と刺繍模様を表示した画面である。
【図９】ディスプレイに対応関係と刺繍模様と画像を表示した画面である。
【図１０】実施例２のデータ処理装置が実行するメイン処理のフローチャートである。
【図１１】刺繍データ選択処理のフローチャートである。
【図１２】画像データ選択処理のフローチャートである。
【図１３】対応情報変更処理のフローチャートである。
【図１４】表示順序変更処理のフローチャートである。
【図１５】ディスプレイに表示した対応関係変更用の画面である。
【図１６】実施例３の刺繍データと画像データの対応関係を示す図である。
【図１７】対応情報とカテゴリ対応情報を示す図である。
【符号の説明】
【００６９】
１  データ処理装置
５  ディスプレイ
８  刺繍ミシン
９  プリンタ装置
２０  対応記憶手段
２１  刺繍データ読込手段
２２  画像データ読込手段
２３  刺繍模様選択手段
２４  画像選択手段
２５  対応設定手段
２６  表示順序設定手段
【図１】
2006136595.tif 000003
【図２】
2006136595.tif 000004
【図３】
2006136595.tif 000005
【図４】
2006136595.tif 000006
【図５】
2006136595.tif 000007
【図６】
2006136595.tif 000008
【図７】
2006136595.tif 000009
【図８】
2006136595.tif 000010
【図９】
2006136595.tif 000011
【図１０】
2006136595.tif 000012
【図１１】
2006136595.tif 000013
【図１２】
2006136595.tif 000014
【図１３】
2006136595.tif 000015
【図１４】
2006136595.tif 000016
【図１５】
2006136595.tif 000017
【図１６】
2006136595.tif 000018
【図１７】
2006136595.tif 000019